(57)【特許請求の範囲】
【請求項１】
柔軟で弾力性を有する素材からなる筒状部とこの周りを覆うケースとを備えると共に、このケースの開口部に設けた押圧具を指で押すことで前記筒状部を指圧する精子採取器であって、前記ケースはその長手方向の複数箇所に前記開口部を有し、この開口部に、フランジ部を備えてこのフランジ部が内側から前記開口部の縁部に掛かるようにした押圧具を、前記筒状部を指圧し得るように且つ筒状部の弾力によって元の位置に戻るように設けて成る、効率の良い精子採取器。
【請求項２】
柔軟で弾力性を有する素材からなる筒状部とこの周りを覆うケースとを備えると共に、このケースの開口部に設けた押圧具を指で押すことで前記筒状部を指圧する精子採取器であって、前記ケースはその長手方向の複数箇所に前記開口部を有し、この開口部に、フランジ部を備えてこのフランジ部が内側から前記開口部の縁部に掛かるようにした押圧具を、前記筒状部を指圧し得るように且つ押圧具に設けたバネの弾力によって元の位置に戻るように設けて成る、効率の良い精子採取器。
【請求項３】
前記筒状部がその長手方向に２以上に分割可能に設けられている、請求項１または請求項２に記載の効率の良い精子採取器。
【請求項４】
前記筒状部の分割箇所に合わせて前記ケースが分割可能に設けられている、請求項３に記載の効率の良い精子採取器。
【請求項５】
前記筒状部が前記ケースに対して着脱自在に設けられている、請求項１〜請求項４の何れか１に記載の効率の良い精子採取器。
【請求項６】
前記筒状部または前記押圧具の周りに、筒状部を締め付ける方向にテンションを掛けるためのリングが設けられている、請求項１または請求項２の効率の良い精子採取器。
【請求項７】
前記筒状部内の空気を抜くための通路を備えている、請求項１または請求項２に記載の効率の良い精子採取器。
【請求項８】
前記筒状部の最先端部を閉じて精子溜とした、請求項１または請求項２に記載の効率の良い精子採取器。
【請求項９】
更に前記筒状部または前記ケースに電動式のバイブレータを備えている、請求項１または請求項２に記載の効率の良い精子採取器。
【発明の詳細な説明】
【技術分野】
【０００１】  この発明は、陰茎に与える刺激を可変として被験者精子の採取性能を高めた精子採取器に関する。
【背景技術】
【０００２】  従来の精子採取器はシリコーンゴムなどを素材とする柔軟な筒状体の先端部分を閉じて陰茎の挿入部と精子溜とを形成したものが一般的である。このものを陰茎に被せて長手方向に往復運動させることによって陰茎に摩擦刺激を加えて精子を精子溜に採取することが出来る。なお筒状体の先端部分が開放されたものにあっては、この部位に或いは陰茎そのものにコンドームを被せるなどして精子を採取するようにしている。【０００３】  図７で表した特開２００４−２７５６６１号は、柔軟な医療用のゴムを用いて成型された筒状体８の長手方向の一端部に挿入口８０が開口されており、そこから筒状体８の内部の長手方向に向けて挿入道８１が設けられているものである。更に筒状体８の内部で比較的外側に近い部位に、前記挿入道８１の周壁を内方向へ締め付けるための締付具であるシリコーン製のゴム環８２の複数個が挿入道８１に添って埋め込まれている。このような構造の筒状体８の挿入道８１の中に陰茎を前記挿入口８０から挿入する。前記ゴム環８２は弾力性を有し、医療用のゴムから成る筒状体８の前記挿入道８１の周壁を内側へ締め付けるため、これにより陰茎が圧迫される。【０００４】  また図８のものは、柔軟な医療用のゴムを用いて成型された筒状体９の外側に、この筒状体９より幾分堅目の医療用のゴムを用いて成型されたシェル９２が被せられている点が特徴である。筒状体９にはその長手方向の一端部に挿入口９０が開口されておりそこから筒状体９の内部の長手方向に向けて挿入道９１が設けられており、この筒状体９が挿入口９３を有する空洞のシェル９２（これは筒状体９のケースである）内に挿着されている。
【先行技術文献】
【特許文献】
【０００５】
【特許文献１】特開２００４−２７５６６１号公報
【発明の概要】
【発明が解決しようとする課題】
【０００６】  さて、上述した図８のようにシェル９２（ケース）を有する精子採取器にあっては、筒状体９が柔軟な医療用のゴムを用いて成型されているにも係わらず直接筒状体９に指圧力を加えて陰茎を微妙な加減で圧迫すると言うことが出来ない。従って陰茎に与える刺激が平坦なものになり、被験者によって、また精子の採取を急がされているような場面のようにその時々によっては気分がそがれて採取に時間が掛かり効率が悪かったり、採取に失敗するようなことも起こるのである。【０００７】そこでこの発明は上述のような構造の精子採取器の問題点に鑑み、直接筒状体に指圧力を加えて陰茎を微妙な加減で圧迫することが出来るような、効率の良い精子採取器を提供することを課題とする。
【課題を解決するための手段】
【０００８】  この課題の解決のためにこの発明の精子採取器は、柔軟で弾力性を有する素材からなる筒状部とこの周りを覆うケースとを備えると共に、このケースの開口部に設けた押圧具を指で押すことで前記筒状部を指圧する精子採取器であって、前記ケースはその長手方向の複数箇所に前記開口部を有し、この開口部に、フランジ部を備えてこのフランジ部が内側から前記開口部の縁部に掛かるようにした押圧具を、前記筒状部を指圧し得るように且つ筒状部の弾力によって元の位置に戻るように設けて成ることを特徴とする。【０００９】  前記押圧具を指で押すと、この押圧具が筒状部を押して筒状部が潰れ、陰茎に圧力を加えることが出来る。この時押圧具を押す力を加減することによって陰茎に与える刺激を変化させることが出来る。また押圧具は個別に複数箇所に設けられているため、刺激を加える陰茎の部位を自由に変えることが可能である。これは例えば従来品のシェル９２（ケース）の全体を押した場合に陰茎の全体に圧力が加わるのとは全く異なる作用である。また仮に複数個の押圧具が連動するように設計した場合も陰茎の広い範囲に同じような圧力が加わってしまう。なお押圧具はケースの周囲の（例えば回転対称となる位置の）複数箇所に設けるようにしても良い。すなわち前記開口部及び押圧具を設ける位置は任意である。
なお前記フランジ部が筒状部に接触する位置に（面一で）設けられているものでは、押圧具の指で押す部位よりもフランジ部の方の面積が大きくなるので、フランジ部が広い範囲の筒状部を押すことが可能になると言う利点を有する。なおこの場合でも押圧部を押す加減は個々に自由に調節することが可能である。【００１０】  次に押圧具を押す力を緩めると、筒状部が柔軟で弾力性を有する素材からなるものであるため、押圧具には筒状部の反発力によってケースの外方向に力が加わるが、前記フランジ部が開口部の縁部に掛かかるためにこの定位置に戻って止まる。このようにして、陰茎に加える力の部位や大きさを自由に制御出来、陰茎に加えられる刺激が良好なものとなって、比較的に短時間で効率の良い精子採取を行うことが可能となるのである。【００１１】  なお筒状部の先端部分は解放されているため、使用に際しては陰茎そのものにコンドームを被せておくようにする。或いは筒状部の先端部に精子採取用の容器や袋といったものを予め装着しておくようにする。袋の一例としてコンドームを上げるが、これを筒状部の先端部分から被せるようにするのである。コンドームは入手が容易で取り回しが便利でありその取り扱い方法も周知されている。これは後述する筒の先に精子溜を備えているものでも同様である。【００１２】  次に、前記筒状部がその長手方向に２以上に分割可能に設けられているものとすることが出来る。この構成によれば、筒状部によって異なる固さ（柔らかさ）のものを用意したり、被験者陰茎に触れる部位の形状を変えたりここに凹凸を設けたものやそうでないものを用意したり、と言うような設計が自由に行える効果を奏する。【００１３】  なおこのものに付いて前記筒状部の分割箇所に合わせて前記ケースが分割可能に設けられているものとしても良い。ケースごと組み合わせを変えたり、ケース同士を分割して個々に使用することが可能である（各々ケースと筒状部とは一体で使用される）。【００１４】  次に、前記筒状部が前記ケースに対して着脱自在に設けられているものとすることが出来る。この構成によれば、ケースから筒状部を取り出して別の筒状部と交換することが可能になる。すなわち性質や形状の異なる筒状部を幾つも用意しておけば、これを交換して使用することが出来るのである。【００１５】  次に、前記筒状部または前記押圧具の周りに、筒状部を締め付ける方向にテンションを掛けるためのリングが設けられているものとすることが出来る。上記では押圧具へ掛ける指の力を全て開放すると筒状部には何の力も加わらなくなるため、押圧具を押さずともある程度の力を加えておきたいと言う場合に前記リングを設けることは効果的である。リングはゴム製のものや金属性のものなど任意の素材より成るものを使用して良い。【００１６】  次に、前記筒状部内の空気を抜くための通路を備えているものとしても良い。筒状部への陰茎の挿入時に内部の空気が抜けずに陰茎の挿入に手間取ると言うようなことが問題となるのであれば、このように空気を抜くための通路を設けておくのが好ましい。例えば筒状部の入り口を広げられるように構成する。【００１７】  次に、前記筒状部の最先端部を閉じて精子溜としたものを提供することが出来る。射��時の精子はこの精子溜に集められるため別途上述したような精子採取用の容器や袋といったものを用意しなくとも間に合う。採取し終えたならば、筒状部をその口の方へ傾斜させるようにして別の容器などに精子を移し、その後に筒状部内を洗浄するようにする。或いは使い捨てるようにしても良い。なお請求項３の発明ではケースの分割によって先端部に位置する筒状部のみ独立させることが出来るため、精子の取り出しが容易である。【００１８】  次に、さらに前記筒状部または前記ケースに電動式のバイブレータを備えているものとすることが出来る。電動式のバイブレータは固定的に設けても着脱自在に設けても良い。電源のスイッチを入れるとバイブレータが振動して、陰茎に加わる刺激が多彩なものとなり、採取時間が短縮されて効率が良い。【００１９】  この他、前記ケースの外壁に滑り止めを設けて成るものとしても良い。これは使用中にケースを持つ手が滑らないようにするための構成である。【００２０】  さて、この発明の精子採取器に関して更に潤滑剤を備えたものとしても良い。この潤滑剤を筒状部内に塗布するのである。こうすると陰茎には滑らかな刺激が加わるので、効率の良い精子採取のために都合が良い。【００２１】なおこの発明では押圧具が筒状部の弾力によって元の位置に戻るように設けているが、押圧具に指の力が加えられていない状態では押圧具が筒状部の表面から離れているようにしたいと言うのであれば、例えばケースと押圧具との間にバネを取り付けてバネの力で押圧具が元の位置に戻るように構成することが可能である。【００２２】従って「柔軟で弾力性を有する素材からなる筒状部とこの周りを覆うケースとを備えると共に、このケースの開口部に設けた押圧具を指で押すことで前記筒状部を指圧する精子採取器であって、前記ケースはその長手方向の複数箇所に前記開口部を有し、この開口部に、フランジ部を備えてこのフランジ部が内側から前記開口部の縁部に掛かるようにした押圧具を、前記筒状部を指圧し得るように且つ押圧具に設けたバネの弾力によって元の位置に戻るように設けて成る、効率の良い精子採取器」もこの発明の権利範囲内のものである。
【発明の効果】
【００２３】  この発明によれば、それぞれ独立した複数の開口部の各々に押圧具を備えているため、押圧具を指で個別に操って、陰茎に加える力の部位を調節したり、微妙な加減で圧迫することが出来るようになり、陰茎に加わる刺激が良好で、比較的短時間の内に効率の良い精子採取が行い得ると言う効果を奏する。
【図面の簡単な説明】
【００２４】
【図１】  実施例１を縦断面で表した説明図である。
【図２】  同実施例の押圧具３周りの動作状態説明図である。
【図３】  実施例２を縦断面で表した説明図である。
【図４】  実施例３を縦断面で表した説明図である。
【図５】  実施例４を縦断面で表した説明図である。
【図６】  実施例５の押圧具３１周りの動作状態説明図である。
【図７】  従来例を縦断面で表した説明図である。
【図８】  従来例を縦断面で表した説明図である。
【発明を実施するための形態】
【実施例１】
【００２５】  図１及び図２はこの実施例の精子採取器を表す。このものはシリコーンゴム製になる筒状部１の一端が挿入口１２であり、他端が精子溜１１であり、この精子溜１１内に精子を採取するものである。なお筒状部１の挿入口１２と精子溜１１との間が陰茎の挿入道１０になるが、この挿入道１０の内壁にはその長手方向に向けて４回対称の位置に、筒状部１内の空気を抜くための通路である溝部１３が形成されており、この溝部１３は前記挿入口１２を至端としている。【００２６】  このように構成された筒状部１はその外側に合成樹脂製のケース２を備えている。このケース２にはその長手方向に３個、またこの方向に延びる中心線回りの２回対称の位置に３個、計６個の開口部２０が設けられており、この開口部２０に、フランジ部３０を備えてこのフランジ部３０がケース２の内側から前記開口部２０の縁部に掛かるようにした押圧具３が、シリコーンゴム製の前記筒状部１の側壁部分を指圧し得るように且つ筒状部１の弾力によって元の位置に復するように取り付けられている。なおここでは押圧具３の筒状部１に接する面とフランジ部３０とが面一に構成されている例を上げる。なお図中の符号２１は前記ケース２に設けられた挿入口を指す。【００２７】  前記挿入口２１と挿入口１２とは同じ位置にあり、ここから陰茎を挿入道１０に通して精子溜１１に精子を採取する。挿入道１０に陰茎を挿入するに当っては前記溝部１３が筒状部１内の空気を挿入口１２から外部へ逃がすので、この実施例の精子採取器の陰茎への装着がより楽なものとなっている。さて前記押圧具３の用い方とその作用を図２を用いて説明する。この精子採取器は手で握るようにして使用されるものであるが、この状態でケース２の開口部２０から外へ突出する押圧具３の部分を指で押すと、矢線で示すように前記フランジ部３０の広くなっている部位で筒状部１の広い範囲に圧力を加えることが出来る。この圧力は前記挿入道１０を広く圧迫するものとなるが、筒状部１の反発力が逆方向に働いて押圧具３を元の位置に戻そうとする。しかしながら押圧具３を押す力を緩めてもフランジ部３０が開口部２０の縁部に掛かるために、押圧具３が開口部２０から外れるようなことは起らない。従って被験者は押圧具３を加減しながら押すことに専念することが出来て射精が促進され、効率的に精子を採取することが出来るのである。
【実施例２】
【００２８】  図３はこの実施例の精子採取器を表す。このものはその殆どの構成を上述した実施例１に倣うものであり、合成樹脂製のケース２２の中にシリコーンゴム製の筒状部１４が納められており、ケース２２に開口された開口部２３には押圧具３が、そのフランジ部３０がケース２２と筒状部１４との間にあって前記開口部２０の縁部に掛かるように設けられている。なお図中で符号１５は挿入道を、符号１６は精子溜を指す。【００２９】  ところで前記筒状部１４の精子溜１６とは反対側の端部は、ケース２２の装着口２４の外に出された折り返し部１７とされている。この実施例の精子採取器に陰茎を挿入する際には、折り返し部１７を未だ折り返さない状態にしておくことによって、挿入口１８が大きく開いて挿入道１５内の空気を筒状部１４の外に逃すことが出来るので、陰茎の装着が簡単になる。すなわちこの折り返し部１７は筒状部１４の挿入道１５内の空気を抜くための「通路」であると見做すことが出来る。そして陰茎を挿入し終えたならばこの折り返し部１７を折り返すことによって、ここに厚みを生じてここで陰茎をしっかりとグリップすることが出来るのである。なお符号２４が指す部位を装着口としたのは、ここから筒状部１４を着脱自在としたためである。これにより筒状部１４を丸ごと洗浄したり、異なる種類の筒状部と交換することが可能となる。
【実施例３】
【００３０】  図４はこの実施例の精子採取器を表す。先端部にドーム４２を備えたケース４は３つのシリコーンゴム製の筒状部５，５２，５４を、この順に装着口４１からケース４内に納めて成る。この特徴は何れの筒状部も異なる種類の筒状部と交換自在である点にある。なお筒状部５は挿入道５０が形成されており、その先端部は精子溜５１となっている。筒状部５２には挿入道５３が形成されている。また筒状部５４には挿入道５５が形成されており、その後端部は陰茎の挿入口５６である。【００３１】  合成樹脂製の前記ケース４には、前記筒状部５，５２，５４の各々に対応する位置に且つ中心線回りの２回対称の位置に、開口部４０が設けられており、この各々の開口部４０に、フランジ部３０を備えてこのフランジ部３０がケース４の内側から前記開口部４０の縁部に掛かるようにした押圧具３が、前記筒状部５，５２，５４の側壁部分を指圧し得るように取り付けられている。【００３２】  また前記ドーム４２の内部には回転軸６０に偏心重錘６１を取り付けたモータ６が納められている。この電源部や電源スイッチは図示しないが、電源スイッチをＯＮにすることでモータ６が振動し、この振動が前記筒状部５，５２，５４を介して陰茎に加えられて射精を促進するために、効率的に精子を採取することが出来る。
【実施例４】
【００３３】  図５はこの実施例の精子採取器を表わし、その特徴は上述した実施例とは異なり精子溜を備えていない点にあり、また３分割されたケース７，７１，７２に付いて、ケース７には筒状部５７が、ケース７１には筒状部５００が、ケース７２には筒状部５０２が納められていると言うように、３分割されたケースと３つの筒状部とから構成されている点にある。従って精液はコンドームを使用してこれに溜めるのであり、またケースを分割した場合にはケース７，７１，７２の何れも単独で使用し得るようになっている。なおケース７はケース７１に接続される端部が螺子を切られて螺合部７５が形成されている。またケース７１はその両端部に、またケース７２はケース７１に接続される端部に、螺合部７５が形成されている。【００３４】  筒状部５７はケース７内に納められており、挿入道５８と開口部５９とを備えている。この開口部５９はケース７，７１，７２を螺合部７５で接続した場合にその先端部の開口部７０に一致して精液の採取口となる。筒状部５００は中間のケース７１内に納められており挿入道５０１を備えている。また筒状部５０２はケース７２内に納められており、挿入道５０３と挿入口５０４とを備えている。この挿入口５０４は装着口７４に一致しており陰茎を受け入れる口である。なお図中の符合７４は押圧具３をケース７，７１，７２に取り付けるための開口部である。
【実施例５】
【００３５】  図６はこの実施例の押圧具３１周りを表わし、その特徴は上述した実施例１の押圧具３（図２を参照のこと）にリング３４を取り付けている点にある。すなわちこのケース２の長手方向に延びる中心線回りの４回対称の位置に設けた押圧具３１に付いて、その中央部に装着溝３３を有し、この装着溝３３にゴム製のリング３４を填め込んで、リング３４が４つの押圧具３１を同時に一定の力で押すことによって、シリコーンゴム製の筒状部１を均一に押すように設けられている（図６）。【００３６】  この構成により、指で個々の押圧具３１を押すと各々の押圧具３１はフランジ部３２の広くなっている部位で筒状部１の広い範囲に圧力を加えて挿入道を広く圧迫することが出来るのであるが、指で押圧具３１に押圧力を加えない場合でも、指で押した場合よりは小さな力ではあるが、リング３４が押圧具３１を押しており、従って筒状部１にはこの力が自然に加えられるのである。【００３７】  なおこの発明は上述した実施例に限定されるものではない。例えばケースの強度や柔らかさは任意ではあるが、筒状部よりも幾分固い程度より以上の固さのものが好ましい。開口部すなわち指で押す押圧具を設ける位置や個数は任意である。位置に関しては必ずしも回転対称の位置に設けなくとも良い分けである。また押圧具の形状や素材も自由に選択して良い。なお筒状部と言う名称はこの内部を陰茎を挿入する挿入道が通っていることによる。なおこの発明の精子採取器と潤滑剤とをセット販売することが出来る。
【産業上の利用可能性】
【００３８】  この発明はヒト用に限定されることなく、家畜用等の精子採取器の分野に広く適用することが出来る。
【符号の説明】
【００３９】１：筒状部          １０：挿入道        １１：精子溜      １２：挿入口
１３：溝部          １４：筒状部        １５：挿入道      １６：精子溜
１７：折り返し部    １８：挿入口        ２：ケース        ２０：開口部
２１：挿入口        ２２：ケース        ２３：開口部      ２４：挿着口
３：押圧具          ３０：フランジ部    ３１：押圧具      ３２：フランジ部
３３：装着溝        ３４：リング        ４：ケース        ４０：開口部
４１：挿着口        ４２：ドーム        ５：筒状部        ５０：挿入道
５１：精子溜        ５２：筒状部        ５３：挿入道      ５４：筒状部
５５：挿入道        ５６：挿入口        ５７：筒状部      ５８：挿入道
５９：開口部        ５００：筒状部      ５０１：挿入道    ５０２：筒状部
５０３：挿入道      ５０４：挿入口      ６：モータ        ６０：回転軸
６１：偏心重錘      ７：ケース          ７０：開口部      ７１：ケース
７２：ケース        ７３：挿着口        ７４：開口部      ７５：螺合部
【図１】
0005358859.tif 000002
【図２】
0005358859.tif 000003
【図３】
0005358859.tif 000004
【図４】
0005358859.tif 000005
【図５】
0005358859.tif 000006
【図６】
0005358859.tif 000007
【図７】
0005358859.tif 000008
【図８】
0005358859.tif 000009